(57)【要約】【課題】着用物品に設けられたメカニカルファスナのフック部材によって着用物品の弾性的な伸長性や柔軟性が損なわれることを防止する。【解決手段】使い捨ておむつ等の着用物品の所要部位にフック部材１６が設けられる。その所要部位は、少なくとも一方向に弾性的に伸長可能である。フック部材１６は、フック集合体２１の複数からなり、そのフック集合体２１が前記一方向へ互いに間隔をあけて前記所要部位に取り付けられる。【選択図】      図２
2004344514.tif 000002
【特許請求の範囲】
【請求項１】
着用状態において互いに向かい合う第１面と第２面とを有し、前記第１面と第２面とがフック部材とループ部材とからなるメカニカルファスナによって取り外し可能に連結される着用物品であって、
前記第１面の所要部位に前記フック部材が設けられる一方、前記第２面の所要部位に前記ループ部材が設けられており、前記第１面は少なくとも前記所要部位とその近傍とが少なくとも一方向に弾性的に伸長可能であり、前記フック部材は剛性なベースシートから１本または２本以上のフックが起立するフック集合体の複数からなり、前記フック集合体の複数が前記第１面の所要部位に少なくとも前記一方向へ互いに間隔をあけて取り付けられていることを特徴とする前記着用物品。
【請求項２】
前記フック集合体の複数が前記一方向と交差する方向にも互いに間隔をあけて取り付けられている請求項１記載の着用物品。
【請求項３】
前記フック集合体の複数がそれら集合体と前記所要部位との間に介在する非伸長性のキャリヤシートに設けられるとともに、前記キャリヤシートが前記所要部位に取り付けられており、前記キャリヤシートが前記所要部位とともに前記一方向へ引張られると、前記一方向において隣り合う前記フック集合体と前記フック集合体との間で破断して前記所要部位の前記弾性的な伸長を可能にする請求項１または２記載の着用物品。
【請求項４】
前記着用物品が開放型のおむつであって、前記第１面が前記おむつの内面であり、前記所要部位が前記おむつに形成されたウイング部分であり、前記一方向が前記ウイング部分における前記おむつの幅方向である請求項１〜３のいずれかに記載の着用物品。
【請求項５】
前記第２面が前記おむつの外面である請求項１〜４のいずれかに記載の着用物品。
【請求項６】
前記第１面と前記第２面とは、弾性的に伸長可能な不織布からなる前記おむつのウイング部分の内面と外面とであり、前記不織布が前記ループ部材を兼ねている請求項４または５記載の着用物品。
【請求項７】
前記フック集合体の前記ベースシートは、前記第１面に対して２〜２００ｍｍ２  の取り付け面積を有するものである請求項１〜６のいずれかに記載の着用物品。
【請求項８】
前記フック集合体の複数が前記一方向において互いに１〜５ｍｍ離間している請求項１〜６のいずれかに記載の着用物品。
【発明の詳細な説明】
【０００１】
【発明の属する技術分野】
この発明は、使い捨てのおむつや使い捨ての医療用ガウン、包帯等の着用物品であって、特にメカニカルファスナが使用された該着用物品に関する。
【０００２】
【従来の技術】
従来、使い捨てのおむつ等の着用物品であってメカニカルファスナを使用したものは、よく知られている。例えば特許第２９７７５０１号公報（特許文献１）に開示された使い捨ておむつでは、後胴周り域のウイング部分からおむつの幅方向外方へ延びるファスナにＹ字型テープが使用されている。このテープの先端部内面には、フック部材とループ部材とからなるメカニカルファスナのうちのフック部材を取り付けられている。
【０００３】
【特許文献１】
特許第２９７７５０１号公報
【０００４】
【発明が解決しようとする課題】
特許文献１のおむつでは、Ｙ字型テープの基端部分がウイング部分の内面と外面とに接合されている。このようなテープはウイング部分に対して強固に接合される反面、それが接合されている部位においてウイング部分を高剛性のものにする。したがって、ウイング部分が弾性的な伸長性を有するおむつでは、ファスナに使用されたテープによってその伸長性が損なわれる。また、このテープの先端部分は、フック部材が取り付けられていることによって特に高剛性になるから、このフック部材をループ部材と係合させたときには、おむつはその係合した部位の剛性が高くなり、そこではおむつの伸長性と柔軟性とが損なわれる。
【０００５】
この発明では、使い捨てのおむつ等の着用物品において、その着用物品に設けられたメカニカルファスナのフック部材によって着用物品の弾性的な伸長性や柔軟性が損なわれることがないように、改良を施すことが課題である。
【０００６】
【課題を解決するための手段】
前記課題を解決するために、この発明が対象とするのは、着用状態において互いに向かい合う第１面と第２面とを有し、前記第１面と第２面とがフック部材とループ部材とからなるメカニカルファスナによって取り外し可能に連結される着用物品である。
【０００７】
かかる着用物品において、この発明が特徴とするところは、次のとおりである。
前記第１面の所要部位には前記フック部材が設けられる一方、前記第２面の所要部位には前記ループ部材が設けられる。前記第１面は、少なくとも前記所要部位とその近傍とが少なくとも一方向に弾性的に伸長可能である。前記フック部材は、剛性なベースシートから１本または２本以上のフックが起立するフック集合体の複数からなり、前記フック集合体の複数が前記第１面の所要部位に少なくとも前記一方向へ互いに間隔をあけて取り付けられている。
【０００８】
この発明には、次のような好ましい実施態様がある。
（１）前記フック集合体の複数が前記一方向と交差する方向にも互いに間隔をあけて取り付けられている。
（２）前記フック集合体の複数がそれら集合体と前記所要部位との間に介在する非伸長性のキャリヤシートに取り付けられるとともに、前記キャリヤシートが前記所要部位に取り付けられている。前記キャリヤシートは、前記所要部位とともに前記一方向へ引張られると、前記一方向において隣り合う前記フック集合体とフック集合体との間で破断して前記所要部位の前記弾性的な伸長を可能にする。
（３）  前記着用物品が開放型のおむつであって、前記第１面が前記おむつの内面であり、前記所要部位が前記おむつに形成されたウイング部分であり、前記一方向が前記ウイング部分における前記おむつの幅方向である。
（４）前記第２面は、前記おむつの外面である。
（５）前記第１面と前記第２面とは、弾性的に伸長可能な不織布からなる前記おむつのウイング部分の内面と外面とであり、前記不織布が前記ループ部材を兼ねている。
（６）前記フック集合体の前記ベースシートは、前記第１面に対して２〜２００ｍｍ２  の取り付け面積を有するものである。
（７）前記フック集合体の複数が前記一方向において互いに１〜５ｍｍ離間している。
【０００９】
【発明の実施の形態】
この発明に係る着用物品として使い捨てのおむつを例にとり、発明の詳細を説明すると、以下のとおりである。
【００１０】
図１に部分破断図で示された使い捨ておむつ１は、全体が砂時計型の形状を成す開放型のもので、透液性表面シート２と、不透液性裏面シート３と、これら両シート間に介在する体液吸収性コア４とによって双頭矢印Ａで示す幅方向の中央域５が形成され、その中央域５では、コア４の周縁から延出する表裏面シート２，３が重なり合い、ホットメルト接着剤（図示せず）によって互いに接合している。おむつ１は、双頭矢印Ｂで示す長さ方向に前胴周り域６と、後胴周り域７と、これら両域間の股下域８とを有し、前後胴周り域６，７のそれぞれには、おむつ１の中央域５から幅方向Ａへ延びる一対のフロントウイング１１と、一対のリアウイング１２とが形成されている。これら両ウイング１１，１２は、それらの基端部がホットメルト接着剤（図示せず）によって裏面シート３の外面に接合している。また、これらウイング１１，１２のうちで、少なくともリアウイング１２は、幅方向Ａと長さ方向Ｂとのうちの少なくとも幅方向Ａに弾性的な伸長性を有する。リアウイング１２の内面には、前後胴周り域６，７を連結するためのファスナ手段であるフック部材１６が設けられており、中央域５における前胴周り域６の裏面シート３の外面には、フック部材１６が剥離可能に係合するループ部材１７が設けられている。
【００１１】
図２は、図１のＩＩ−ＩＩ線切断面を示す図である。リアウイング１２の内面に設けられたフック部材１６は、互いに分離独立した複数のフック集合体２１からなる。個々の集合体２１は、リアウイング１２と比べて剛性が高く、非伸長性であるベースシート２２と、ベースシート２２から起立する少なくとも１本のフック２３とからなり、ベースシート２２が接着剤２４等の接合手段によってリアウイング１２に取り付けられている。幅方向Ａにおいて隣り合うフック集合体２１と２１とは、距離Ｌだけ離間している。かようなリアウイング１２は、その外端部２６を摘んで幅方向Ａへ引張ると、弾性的に伸長する。そのときに、フック部材１６は、隣り合うフック集合体２１と２１とが更に離間して距離Ｌが大きくなった状態でループ部材１７に対して係合する。フック集合体２１の一つずつは、リアウイング１２の伸長性と柔軟性とを損なうことがないように、リアウイング１２に対する取り付け面積が２〜２００ｍｍ２の範囲内にあり、図２における距離Ｌが１〜５ｍｍの範囲にある。また、おむつ１の着用時における前後胴周り域６，７の連結が十分強固となるように、フック集合体２１は幅方向Ａにおいて少なくとも３個以上並べられていることが好ましい。複数の集合体２１が幅方向Ａに距離Ｌをあけて並ぶことによって、リアウイング１２はフック部材１６を有するにもかかわらず、図２に示す双頭矢印Ｃ方向であるおむつ着用者の胴周りの内外方向へ柔軟に湾曲する。また、リアウイング１２が幅方向Ａに伸長された状態でフック部材１６がループ部材１７に係合すると、隣り合うフック集合体２１どうしが大きく離間していることによって、リアウイング１２の柔軟性はますますフック部材１６の影響を受けにくくなる。
【００１２】
図３は、発明の実施態様の一例を示す図１と同様なおむつ１の部分図である。このおむつ１におけるフック部材１６のフック集合体２１は、平面形状が円形のベースシート２２を有し、そのベースシート２２に１本または２本以上のフック２３が起立している。フック集合体２１の複数は、幅方向Ａにおいて互いに離間するとともに、長さ方向Ｂにおいても互いに離間している。これらのフック集合体２１は、リアウイング１２が幅方向Ａにも長さ方向Ｂにも弾性的な伸長性を有する場合に、それら両方向Ａ，Ｂへの伸長性と柔軟性とを損なうことがない。
【００１３】
図４，５もまた、この発明の実施態様の一例を示す図であり、図４は図１と同様なおむつ１の一部分を示し、図５は、図４のＶ−Ｖ切断面を示している。なお、図５のＡは非伸長状態のリアウイング１２を示し、図５のＢは伸長状態のリアウイング１２を示している。図示例におけるおむつ１のリアウイング１２に設けられたフック部材１６では、個々のフック集合体２１のベースシート２２が互いに幅方向Ａへ離間した状態でキャリヤシート３１に接着剤３２を介して接合し、そのキャリヤシート３１が個々のフック集合体２１の直下に相当する部分に塗布された接着剤２４を介してリアウイング１２に接合している。キャリヤシート３１は、非伸長性のもので、隣り合うフック集合体２１と２１との間ではリアウイング１２に接合しておらず、その隣り合うフック集合体２１と２１との間に長さ方向Ｂへ延びる切り裂き案内部３３を有する。切り裂き案内部３３は、例えばキャリヤシート３１に設けられたミシン目やスリットであって、リアウイング１２が幅方向Ａへ引張られると、キャリヤシート３１はその切り裂き案内部３３において容易に破断し、リアウイング１２が、図５のＢの状態となる。図５のＡのフック部材１６を使用するおむつでは、図１〜３のフック部材１６と同様な作用、効果が得られる他に、個々のフック集合体２１が予めキャリヤシート３１に接合され、次いでそのキャリヤシート３１がリアウイング１２に接合されるという順序でのおむつ１の製造が可能になる。このような順序であれば、比較的微細なフック集合体２１でも、それをリアウイング１２に接合することが容易になる。
【００１４】
図示例のおむつ１では、表面シート２や裏面シート３、コア４等の各部材に対して周知慣用の材料を使用することができる。また、裏面シート３は、その最外層が不織布、より好ましくは嵩の高い不織布で形成されていると、フック部材１６のフック２３の係合、離脱が可能となるので図１におけるループ部材１７を省くことができる場合がある。また、フロントウイング１１がそのような不織布で形成される場合には、そのフロントウイング１１に対してのフック２３の係合、離脱が可能になる。リアウイング１２には、弾性繊維を含む不織布やプラスチックエラストマーからなるフィルム等を使用することができる。キャリヤシート３１は、その破断を容易にするために、分子鎖や繊維が長さ方向Ｂに配向しているプラスチックフィルムや布地、紙等の材料で作ることができ、これら材料による場合には切り裂き案内部３３を省くことも可能になる。
【００１５】
使い捨ておむつを例にとって説明したこの発明は、使い捨ての医療用ガウンや包帯等の各種着用物品において実施することができる。
【００１６】
【発明の効果】
この発明に係る着用物品では、メカニカルファスナを形成するフック部材が複数のフック集合体からなり、そのフック集合体が少なくとも一方に弾性的な伸長性を有する着用物品の部位において、その一方向へ互いに間隔をあけて取り付けられているから、その部位は、フック部材の存在によって、弾性的な伸長性が損なわれるということがない。
【図面の簡単な説明】
【図１】おむつの部分破断平面図。
【図２】図１のＩＩ−ＩＩ線切断面を示す図。
【図３】実施態様の一例を示す図２と同様な図。
【図４】実施態様の一例を示す図１と同様なおむつの部分図。
【図５】Ａは図４のＶ−Ｖ線切断面を示す図、Ｂは伸長状態にあるＶ−Ｖ線切断面を示す図。
【符号の説明】
１      着用物品（おむつ）
２      第１面（表面シート）
３      第２面（裏面シート）
１２      ウイング部分（リアウイング）
１６      フック部材
２１      フック集合体
２２      ベースシート
２３      フック
３１      キャリヤシート
【図１】
2004344514.tif 000003
【図２】
2004344514.tif 000004
【図３】
2004344514.tif 000005
【図４】
2004344514.tif 000006
【図５】
2004344514.tif 000007